(57)【要約】【課題】  無駄なハンドル操作をすることなく目視するだけ給水状態あるいは水抜き状態を判別できる、寒冷地用の散水栓の操作部を提供することを目的とする。【解決手段】化粧管の上部に取り付けられるベース部と、そのベース部の上側に設けられる、上面のみもしくは全体が後述の蓋と異なる色で配色された表示バーと、上端部に後述の蓋を嵌め込むための嵌め込み部およびその下方には空間部を有し、前記ベース部の上方に位置し操作桿の上端部に接続するハンドルと、上方から前記表示バーの上面が見えるための２ケの透明部を有し、ハンドルの前記嵌め込み部に所定の方向で嵌め込む蓋を、寒冷地用の散水栓の操作部に設けることにより、散水栓の給水あるいは水抜き状態を目視のみで判別することができ、無駄なハンドル操作をしなくて済む。【選択図】図１
0003134337.tif 000002
【実用新案登録請求の範囲】
【請求項１】
ハンドルを回転操作することにより給水および水抜き状態にできる散水栓において、化粧管の上部に取り付けられるベース部と、そのベース部の上側に設けられる、上面のみもしくは全体が後述の蓋と異なる色で配色された表示バーと、上端部に後述の蓋を嵌め込むための嵌め込み部およびその下方には空間部を有し、前記ベース部の上方に位置し操作桿の上端部に接続するハンドルと、上方から前記表示バーの上面が見えるための２ケの透明部を有し、ハンドルの前記嵌め込み部に所定の方向で嵌め込む蓋を設けたことを特徴とする、寒冷地用の散水栓の操作部。
【考案の詳細な説明】
【技術分野】
【０００１】
本考案は、寒冷地用の散水栓において、目視するだけで給水あるいは水抜き状態を判別できる散水栓の操作部に関する。
【背景技術】
【０００２】
従来、寒冷地で庭の散水や車の洗車などに使用する散水栓は、ハンドル操作をおこなうことにより散水栓内部の水を地中に排水し水道凍結を防止する水抜き機能を有しているのが一般的であった。
【０００３】
図９に従来の寒冷地用の散水栓の一例を示す、給水状態における断面図である。この図の散水栓について簡単に説明すると、地中に埋設される弁箱１と、その弁箱１に接続され地上に延長される揚水管２と、その揚水管２に接続される給水金具３と、前記揚水管２および前記給水金具３を囲繞する化粧管４と、弁箱１内部に設けられているピストン５と、そのピストン５に連結部材６および操作桿７を介して接続されている、前記給水金具３の上方に位置するハンドル８が主要な構成である。
このような散水栓は、ハンドル８を回転操作してピストン５が下方に移動することにより、散水栓内部の水を弁箱１を介して地中に排水する水抜き状態にしたり（図示省略）、また前述とは逆の回転操作すると図のように水が使用可能な給水状態にすることができる。
この図の状態で、給水金具３に取り付けられている蛇口９のハンドルを回すことにより、水を使用することができる。
【０００４】
寒冷地用の散水栓は、凍結の心配のない夏期には常時給水状態、もしくはほぼ毎日マイナス気温で凍結対策が必要な冬期においては常時水抜き状態にしているのが慣例的であるが、雪解けが始まる春期や寒さが厳しくなり始める秋期には突然寒波が襲ってくる時があるために、前日が給水状態であっても次の日は気温によって水抜き状態にすることがあり、その都度散水栓の給水もしくは水抜きの操作が必要となる。
散水栓を操作する人が一人であれば散水栓の状態がどちらであるかを記憶しているためにさほど問題はないが、例えば家庭において複数の人が散水栓を操作している場合に、図９に示すような散水栓ではそれまでの状態が給水なのか水抜き状態なのか目視だけでは判断できないために、ハンドルを一度どちらかの方向に回して状態判別をするための無駄な操作をしなければならず、煩わしいものであった。
【考案の開示】
【考案が解決しようとする課題】
【０００５】
そのため、本考案は無駄なハンドル操作をすることなく、目視するだけで給水状態あるいは水抜き状態を判別できる、寒冷地用の散水栓の操作部を提供することを目的とする。
【課題を解決するための手段】
【０００６】
本考案の寒冷地用の散水栓の操作部は、化粧管の上部に取り付けられるベース部と、そのベース部の上側に設けられる、上面のみもしくは全体が後述の蓋と異なる色で配色された表示バーと、上端部に後述の蓋を嵌め込むための嵌め込み部およびその下方には空間部を有し、前記ベース部の上方に位置し操作桿の上端部に接続するハンドルと、上方から前記表示バーの上面が見えるための２ケの透明部を有し、ハンドルの前記嵌め込み部に所定の方向で嵌め込む蓋を設けたことを主な特徴とする。
【考案の効果】
【０００７】
本考案によれば、散水栓の上面を目視するだけで散水栓が給水状態あるいは水抜き状態を判別できるので、無駄なハンドル操作が不要となる。
【考案を実施するための最良の形態】
【０００８】
図１に本考案を適用する寒冷地用の散水栓の一実施例を示す給水状態における断面図であるが、地中の凍結深度以下に埋設される弁箱１は下端に流入口２２、前記流入口２２の上方側壁に流路２３、前記流路２３の向かい合わせの位置には下端部が開口した排水口２４、また前記流入口２２上方の同軸上には同径であるシリンダ２５、２６がそれぞれ連通するように設けられている。前記排水口２４の上流側には弁座２７を有する樹脂製の逆止カートリッジ２８および球状の逆止弁２９が設けられ、逆止弁２９が弁座２７に密着することにより地中の汚水が弁箱１内に浸入しないようにしている。また、弁箱１の上部には揚水管２と接続する接合部３１が設けられ、本実施例では弁箱１側の雌ねじ、揚水管２側の雄ねじによって螺合している。
【０００９】
揚水管２は前記のように一端は弁箱１、他端には地上部の給水金具３が接続される。給水金具３の側面には取付口３３が設けられ、その部分に蛇口９が取り付けられている。４は給水金具３およびナット３６により固定され、揚水管２および給水金具３を囲繞する角形の化粧管であり、その下端には排水口カバー３７を、上端にはベース部３８を装着しており、このベース部３８は給水金具３の上端に接続されるグランド３９およびナット４０により固定されている。さらにベース部３８の上側には表示バー４１が凹凸形状の嵌め込みにより取り付けられており、その表示バー４１の上面４２は黄色の印刷が施されている。この表示バー４１は全体を黄色に印刷したり、もしくは黄色のプラスチック樹脂で成型しても良い。
【００１０】
ベース部３８の上方には角形のハンドル８を位置し、それを操作桿７の上端部に嵌め込んで両者がビスを用いて接続されている。さらにハンドル８の上端の凹形状の嵌め込み部４５に蓋４６が所定の方向で嵌め込まれている。なお蓋４６の側面には所定の方向でハンドル８に嵌め込めるための凸部４７（図２参照）が設けられ、それに合う形状でハンドル８側にも凹部（図示省略）が設けられている。またハンドル８の嵌め込み部４５の下方には、ハンドル８を回転操作した時に表示バー４１と干渉しないための空間部４８が図３のように設けられている。なお説明上、図３における空間部４８の下方に見えるものを表示バー４１の上面４２のみとして示している。
【００１１】
図２は前記の蓋４６のみをその上面から見た外観図である。本実施例では蓋４６は透明なプラスチック樹脂で作られており、その下面にはほぼ全面が黒色で、「給水」、「水抜き」の文字が黒色以外の色で印刷されている。さらに「給水」、「水抜き」文字に対応する位置には、蓋４６の下方が目視できるよう円状に２ケの透明部４９、５０を残している。
【００１２】
前記の印刷は、蓋４６の下面ではなく上面に印刷されていても、本考案の要旨からは逸脱しない。
さらに透明部４９、５０においては、蓋４６とは別の部品にしても良く、例えば透明部４９、５０に対応する箇所にあらかじめ樹脂成型で穴を設けた着色された蓋４６に、後から透明部４９、５０に対応する透明のプラスチック樹脂をその穴に嵌め込む設計であっても良い。このような本考案の要旨を逸脱しない程度の設計変更は自由である。
【００１３】
図１に示す前記ハンドル８は、そのハンドル８と直接接続する操作桿７、ガイドピン５１が接続されそのガイドピン５１を介して操作桿７と係合する操作桿上側継手５２、その操作桿上側継手５２とロールピン５３を用いて接続され且つ給水金具３内の上部シリンダ５４に密着するＯリング５５を装着する操作桿下側継手５６、その操作桿下側継手５６に接続される連結部材６を介してピストン５と連結されている。
前記の連結部材６とピストン５はロールピン５９を用いて接続されている。
また前記ガイドピン５１により係合する操作桿上側継手５２と操作桿７は、その操作桿７の外周に位置するガイドブッシュ６０とも係合する。
【００１４】
前記ピストン５にはシリンダ２６を摺動するＯリング６１と、シリンダ２５を摺動するＯリング６２、６３が装着されている。さらにＯリング６１の上方には排水流入横穴６４、およびＯリング６２とＯリング６３の間には排水流出横穴６５をそれぞれ縦穴６６に貫通するように設けている。
【００１５】
図４は、図１の本実施例の散水栓において、ハンドル８による回転操作でピストン５が上下に動く作動機構に用いられている操作桿７およびガイドブッシュ６０の外観側面図でり、上の図が操作桿７、下の図がガイドブッシュ６０である。
図に示すように操作桿７の側面にはガイドピン５１（図１）と係合するための向かい合わせの２ヶの溝６７、また同じくガイドブッシュ６０の側面にもガイドピン５１と係合するための傾斜した向かい合わせの２ヶの溝６８がそれぞれに設けられている。なおガイドブッシュ６０の外観側面図における向かい合わせの２ヶの溝６８については、そのうち１ヶを点線で示している。
【００１６】
図５は図１おける作動機構部分を示す、給水状態における拡大した断面図であるが、この状態からハンドル８を時計方向に９０度回転操作すると、そのハンドル８と直接接続された操作桿７が同様に９０度時計方向に回転する。その操作桿７はグランド３９、ガイドブッシュ６０で上下を拘束されているために、上下移動はせずにその場所での回転となる。
次にその操作桿７の回転は、その操作桿７と係合しているガイドピン５１およびガイドブッシュ６０に伝達されるが、そのガイドブッシュ６０は底部に設けた凸部（図示省略）が給水金具３上面の凹部（図示省略）と嵌合しているためにそれ自体は回転せず、さらにその上下を操作桿７および給水金具３で拘束されているために上下の移動もしない。この状態でガイドピン５１のみが図４に示す操作桿７の溝６７およびガイドブッシュ６０の溝６８に沿って摺動するために、ガイドピン５１が接続されている操作桿上側継手５２は回転しながら下方へ移動する。その操作桿上側継手５２とロールピン５３により接続されている操作桿下側継手５６はそれ自体が独立して回転自在となっているために、回転を伴わないで下方へ移動する。同時に操作桿下側継手５６に接続される連結部材６を介して連結されているピストン５（図１参照）は回転せずに下方へ所定分移動することができる。この状態は後述の図７に示す水抜き状態である。また、この状態でハンドルを反時計回りに９０度回転操作すると、前記の作動機構によりピストンは上方に移動し、図１および図５に示す給水状態に戻る。
【００１７】
このような作動機構は、実施例のような比較的小さい回転角度のハンドル操作でピストンを上下移動するのに有効である。
【００１８】
図１における給水状態では、弁箱１の流入口２２から流入した水は流路２３、弁箱１とピストン５との間隙を通って揚水管２に流れ込み、さらに給水金具３を通って蛇口９から放水される。この時、ピストン５に装着されたＯリング６３および操作桿下側継手５６に装着されたＯリング５５により他所への漏水は防止されている。
【００１９】
図６は、図１の給水状態における散水栓上面の外観図である。散水栓の上面からは蓋４６の上面を見ることができ、この時蓋４６に設けた「給水」の文字に対応する透明部４９とベース部３８（図１参照）に設けた表示バー４１（図１参照）の位置が一致する構造になっているので、透明部４９から黄色の表示バー４１の上面４２が見え、同時に「水抜き」の位置に対応する透明部５０からはベース部３８の上面が見えるのみとなっている。
本実施例では透明部４９または透明部５０のいずれかから表示バー４１の上面４２の黄色が見える方を散水栓の現状の状態を示すと設定しているため、図に示す散水栓上面を目視するだけで給水状態であることを判別できる。図中では表示バー４１の上面４２を斜線で表している。
【００２０】
図７は本実施例の水抜き状態を示す断面図であるが、外気温が低く凍結の心配がある場合はハンドル８を時計方向に９０度回転させると、上述のハンドル８による回転操作でピストン５が下に動く作動機構で説明したように、ピストン５は回転せずに下方へ移動し、まずピストン５に装着されたＯリング６２は弁箱１のシリンダ２５に、Ｏリング６１はシリンダ２６にそれぞれ密着して流入口２２からの水を遮断し、さらに下方に移動して、Ｏリング６３はシリンダ２５から離脱し、散水栓内部の水はピストン５に設けた排水流入横穴６４、縦穴６６および排水流出横穴６５を通り、さらに逆止カートリッジ２８を通り逆止弁２９を上昇させて排水口２４から地中に排水される。
【００２１】
図８は、図７の水抜き状態における散水栓上面の外観図である。この時、蓋４６に設けた「水抜き」の文字に対応する透明部５０とベース部３８（図７参照）に設けた表示バー４１（図７参照）の位置が一致する構造になっているので、透明部５０からは黄色の表示バー４１の上面４２が見える。同時に「給水」の位置に対応する透明部４９からは、ベース部３８の上面のみが見える。よって図に示す散水栓上面を目視するだけで水抜き状態であることを判別できる。図中では表示バー４１の上面４２を斜線で表している。
【００２２】
本考案の実施例では、散水栓の状態を判別するために、表示バー４１の上面４２に黄色を、蓋４６の印刷に黒色の視認性の高い組み合わせを配色したが、視認性の高い別色での組み合わせは自由である。
【００２３】
さらに本考案の図１に示す実施例では、ハンドル８の回転操作角度を９０度としているが、この角度を用いた理由としては、できるだけ小さい角度で、給水および水抜き状態のどちらの状態においても角形のハンドル８の側面と角形の化粧管４の側面を一致させて、散水栓の審美性を損なわないようにするためであるが、一回転（３６０度）未満であればそれぞれの側面が一致する１８０度や２７０度の角度であっても良い。また、ハンドル８および化粧管４が円筒形である場合は、一回転（３６０度）未満であれば、上記の角形のハンドルの場合で述べた角度に限定されない角度での設計をしても良く、どちらにおいても散水栓上面を目視して散水栓の状態を判別できるのであれば問題ない。
【図面の簡単な説明】
【００２４】
【図１】本考案の一実施例を示す、散水栓の給水状態における縦断面図である。
【図２】図１の蓋のみを上面から見た外観図である。
【図３】図１のハンドルのＡ−Ａ断面図である。
【図４】図１の一実施例の作動機構に用いられる部品の外観側面図である。
【図５】図１おける作動機構部分を示す、拡大した断面図である。
【図６】図１の給水状態における、散水栓上面の外観図である。
【図７】本考案の一実施例を示す、散水栓の水抜き状態における縦断面図である。
【図８】図７の水抜き状態における、散水栓上面の外観図である。
【図９】従来例を示す、給水状態における縦断面図である。
【符号の説明】
【００２５】
４        化粧管
７        操作桿
８        ハンドル
３８        ベース部
４１        表示バー
４５        嵌め込み部
４６        蓋
４８        空間部
４９        透明部
５０        透明部
【図１】
0003134337.tif 000003
【図２】
0003134337.tif 000004
【図３】
0003134337.tif 000005
【図４】
0003134337.tif 000006
【図５】
0003134337.tif 000007
【図６】
0003134337.tif 000008
【図７】
0003134337.tif 000009
【図８】
0003134337.tif 000010
【図９】
0003134337.tif 000011